【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
真空動力供給式組織切断デバイスであって、
該デバイスは、
細長いシャフトであって、該細長いシャフトは、近位端、遠位端、および自身の中に画定された管腔を有し、該遠位端は、組織を受容するための開口部を有する、細長いシャフトと、
該細長いシャフト内に配置されたカッターであって、該カッターは、往復させられて組織を切断するように構成される、カッターと、
該細長いシャフトの該近位端に連結されたチャンバであって、該連結されることにより、該細長いシャフトは該チャンバに対して固定された状態のままであり、該チャンバは、中に機構が配置されており、該機構が真空源によって生成された吸引によって動力供給されることにより、該機構は、該カッターを往復させる往復運動を生じさせ、ここで該機構は、ピストンおよび弁を備え、該吸引が交互方式で該ピストンの両側に印加されることにより、該ピストンを往復させ、該ピストンの往復は、該カッターを往復させ、ここで該ピストンは、接続機構によって該弁に連結されており、該接続機構は、該ピストンから該弁へと運動を移行させる、チャンバと
を備える、デバイス。
【請求項２】
前記機構は、前記真空源によって生成された吸引のみによって動力供給される、請求項１に記載のデバイス。
【請求項３】
前記真空源からの吸引は、前記開口部の中に組織を引き込む、請求項１に記載のデバイス。
【請求項４】
前記カッターは、前記細長いシャフトの中の前記開口部を越えて往復して、該開口部の中の前記組織を切断するように構成される、請求項１に記載のデバイス。
【請求項５】
前記デバイスは、切断された組織が、前記真空源によって生成された吸引によって、前記細長いシャフトの中の排出管腔を通して排出されるように構成される、請求項１に記載のデバイス。
【請求項６】
前記デバイスは、単一の真空源から吸引を受容するように構成され、該単一の真空源は、排出のため、および前記機構に動力供給するための吸引を供給する、請求項１に記載のデバイス。
【請求項７】
前記細長いシャフトは、該細長いシャフトの中の排出管腔の遠位端に洗浄剤を送達するための管腔を有し、該洗浄剤は、前記真空源からの吸引が該洗浄剤を該管腔を通して引き込むために存在しなければ、該管腔を通って流れない、請求項１に記載のデバイス。
【請求項８】
前記チャンバは、人間工学的ハンドルの形式である、請求項１に記載のデバイス。
【請求項９】
前記ハンドルは、前記細長いシャフトに対してある角度を成して配置され、それにより、該細長いシャフトの上方および／または側面に部位についての明確な線を提供する、請求項８に記載のデバイス。
【請求項１０】
前記チャンバおよび機構は、前記細長いシャフトに対してある角度を成して配置され、該機構は、前記カッターに接続され、該機構は、直線運動で該カッターを往復させる、請求項１に記載のデバイス。
【請求項１１】
組織収集チャンバが、該チャンバの除去が前記デバイスを使用不能にするように、該デバイスに統合される、請求項１に記載のデバイス。
【請求項１２】
前記シャフトの前記遠位端は、順応性部分を含み、前記カッターは、該順応性部分内で往復させられる、請求項１に記載のデバイス。
【請求項１３】
前記機構は、医師の診察室で利用可能な真空によって動力供給される、請求項１に記載のデバイス。
【請求項１４】
前記カッターは、切断刃であり、該切断刃は、安全性を患者に提供するように前記開口部の外側で露出されない、請求項１に記載のデバイス。
【請求項１５】
前記真空動力供給式機構は、約１２００サイクル／分未満の速度で往復運動する、請求項１に記載のデバイス。
【請求項１６】
前記カッターの速度は、２５０〜２５００サイクル／分の範囲に及ぶ、請求項１に記載のデバイス。
【請求項１７】
前記接続機構は、双安定スイッチを備える、請求項１に記載のデバイス。
【請求項１８】
電気焼灼器ワイヤをさらに備え、該電気焼灼器ワイヤは、前記細長いシャフトの前記遠位端に配置される、請求項１に記載のデバイス。
【請求項１９】
前記細長いシャフトの中に管腔をさらに備え、該管腔は、抗凝固療法を送達するためのものである、請求項１に記載のデバイス。
【請求項２０】
前記デバイスは、完全に使い捨てである、請求項１に記載のデバイス。
【請求項２１】
真空動力供給式組織切断デバイスであって、
該デバイスは、
細長いシャフトであって、該細長いシャフトは、近位端、遠位端、および自身の中に画定された管腔を有し、該遠位端は、組織を受容するための開口部を有する、細長いシャフトと、
該細長いシャフト内に配置されたカッターであって、該カッターは、該細長いシャフトの中の該開口部を越えて往復させられることにより、該開口部の中で組織を切断するように構成される、カッターと、
該細長いシャフトの該近位端に連結されたチャンバであって、該チャンバは、中にカッタードライバアセンブリが配置されており、該カッタードライバアセンブリは、ピストンおよび弁を備え、該カッタードライバアセンブリが真空源によって生成された吸引によって動力供給されることにより、該カッタードライバアセンブリは、該カッターを往復させる往復運動を生じさせ、ここで該吸引が交互方式で該ピストンの両側に印加されることにより、該ピストンに該往復運動を生じさせ、ここで該ピストンは、接続機構によって該弁に連結されており、該接続機構は、該ピストンから該弁へと運動を移行させる、チャンバと
を備える、真空動力供給式組織切断デバイス。
【手続補正２】
【補正対象書類名】明細書
【補正対象項目名】００１４
【補正方法】変更
【補正の内容】
【００１４】
本発明は、例えば、以下を提供する：
（項目１）
真空動力供給式組織切断デバイスであって、
該デバイスは、
細長いシャフトであって、該細長いシャフトは、近位端、遠位端、および自身の中に画定された管腔を有し、該遠位端は、組織を受容するための開口部を有する、細長いシャフトと、
該細長いシャフト内に配置されたカッターであって、該カッターは、往復させられて組織を切断するように構成される、カッターと、
該細長いシャフトの該近位端に連結されたチャンバであって、該連結されることにより、該細長いシャフトは該チャンバに対して固定された状態のままであり、該チャンバは、中に機構が配置されており、該機構が真空源によって生成された吸引によって動力供給されることにより、該機構は、該カッターを往復させる往復運動を生じさせる、チャンバと
を備える、デバイス。
（項目２）
前記機構は、前記真空源によって生成された吸引のみによって動力供給される、項目１に記載のデバイス。
（項目３）
前記真空源からの吸引は、前記開口部の中に組織を引き込む、項目１に記載のデバイス。
（項目４）
前記カッターは、前記細長いシャフトの中の前記開口部を越えて往復して、該開口部の中の前記組織を切断するように構成される、項目１に記載のデバイス。
（項目５）
前記デバイスは、切断された組織が、前記真空源によって生成された吸引によって、前記細長いシャフトの中の排出管腔を通して排出されるように構成される、項目１に記載のデバイス。
（項目６）
前記デバイスは、単一の真空源から吸引を受容するように構成され、該単一の真空源は、排出のため、および前記機構に動力供給するための吸引を供給する、項目１に記載のデバイス。
（項目７）
前記細長いシャフトは、該細長いシャフトの中の排出管腔の遠位端に洗浄剤を送達するための管腔を有し、該洗浄剤は、前記真空源からの吸引が該洗浄剤を該管腔を通して引き込むために存在しなければ、該管腔を通って流れない、項目１に記載のデバイス。
（項目８）
前記チャンバは、人間工学的ハンドルの形式である、項目１に記載のデバイス。
（項目９）
前記ハンドルは、前記細長いシャフトに対してある角度を成して配置され、それにより、該細長いシャフトの上方および／または側面に部位についての明確な線を提供する、項目８に記載のデバイス。
（項目１０）
前記チャンバおよび機構は、前記細長いシャフトに対してある角度を成して配置され、該機構は、前記カッターに接続され、該機構は、直線運動で該カッターを往復させる、項目１に記載のデバイス。
（項目１１）
組織収集チャンバが、該チャンバの除去が前記デバイスを使用不能にするように、該デバイスに統合される、項目１に記載のデバイス。
（項目１２）
前記シャフトの前記遠位端は、順応性部分を含み、前記カッターは、該順応性部分内で往復させられる、項目１に記載のデバイス。
（項目１３）
前記機構は、医師の診察室で利用可能な真空によって動力供給される、項目１に記載のデバイス。
（項目１４）
前記カッターは、切断刃であり、該切断刃は、安全性を患者に提供するように前記開口部の外側で露出されない、項目１に記載のデバイス。
（項目１５）
前記真空動力供給式機構は、約１２００サイクル／分未満の速度で往復運動する、項目１に記載のデバイス。
（項目１６）
前記カッターの速度は、２５０〜２５００サイクル／分の範囲に及ぶ、項目１に記載のデバイス。
（項目１７）
前記機構は、ピストンを備え、前記吸引が交互方式で該ピストンの両側に印加されることにより、該ピストンを往復させ、該ピストンは、前記カッターを往復させる、項目１に記載のデバイス。
（項目１８）
前記機構は、第１のピストンと、第２のピストンを備え、該第１のピストンは、双安定スイッチによって該第２のピストンに連結され、該双安定スイッチは、該第１のピストンから該第２のピストンまで運動を中継する、項目１７に記載のデバイス。
（項目１９）
電気焼灼器ワイヤをさらに備え、該電気焼灼器ワイヤは、前記細長いシャフトの前記遠位端に配置される、項目１に記載のデバイス。
（項目２０）
前記細長いシャフトの中に管腔をさらに備え、該管腔は、抗凝固療法を送達するためのものである、項目１に記載のデバイス。
（項目２１）
前記デバイスは、完全に使い捨てである、項目１に記載のデバイス。
（項目２２）
真空動力供給式組織切断デバイスであって、
該デバイスは、
細長いシャフトであって、該細長いシャフトは、近位端、遠位端、および自身の中に画定された管腔を有し、該遠位端は、組織を受容するための開口部を有する、細長いシャフトと、
該細長いシャフト内に配置されたカッターであって、該カッターは、該細長いシャフトの中の該開口部を越えて往復させられることにより、該開口部の中で組織を切断するように構成される、カッターと、
該細長いシャフトの該近位端に連結されたチャンバであって、該チャンバは、中にカッタードライバアセンブリが配置されており、該カッタードライバアセンブリが真空源によって生成された吸引によって動力供給されることにより、該カッタードライバアセンブリは、該カッターを往復させる往復運動を生じさせる、チャンバと
を備える、真空動力供給式組織切断デバイス。
（項目２３）
被検体から組織を切断および除去する方法であって、
該方法は、
該被検体の中の標的組織の隣に切断デバイスを前進させることであって、該切断デバイスは、細長いシャフト、および該細長いシャフト内に配置されたカッターを有する、ことと、
真空源によって生成された吸引を使用して、該切断デバイスに動力供給することであって、該動力供給することにより、該切断デバイスは、該カッターを往復させる往復運動を生じさせることと、
該往復運動するカッターを用いて組織を切断することと、
該真空源によって生成された該吸引を使用して、該切断された組織を排出することと
を含む、方法。
（項目２４）
前記真空源からの吸引を使用して、前記細長いシャフトの中の開口部の中に標的組織を引き込むことをさらに含み、前記カッターは、該細長いシャフトの中の該開口部を越えて往復させられて、該開口部の中の組織を切断するように構成される、項目２３に記載の方法。
（項目２５）
前記細長いシャフトの前記近位端が前記ハンドルに連結されることにより、前記カッターが往復運動させられる一方で、該細長いシャフトは該ハンドルに対して固定された状態のままである、項目２３に記載の方法。
（項目２６）
前記切断デバイスは、前記真空源によって生成された吸引によってのみ動力供給される、項目２３に記載の方法。
（項目２７）
前記切断された組織は、前記真空源によって生成された吸引によって、前記細長いシャフトの中の排出管腔を通して排出される、項目２３に記載の方法。
（項目２８）
吸引は、単一の真空源から受容され、該単一の真空源は、排出のため、および前記カッターを往復させるための吸引を供給する、項目２３に記載の方法。
（項目２９）
前記細長いシャフトの中の排出管腔の遠位端に洗浄剤を送達することをさらに含み、該洗浄剤は、前記真空源からの吸引が該洗浄剤を該管腔を通して引き込むために存在しなければ、該管腔を通って流れない、項目２３に記載の方法。
（項目３０）
前記切断デバイスは、前記細長いシャフトに対してある角度を成して配置され、それにより、該細長いシャフトの上方および／または側面に部位についての明確な線を提供する、ハンドルを備える、項目２３に記載の方法。
（項目３１）
切断デバイスは、組織収集チャンバを備え、該チャンバの除去は、該デバイスを使用不能にする、項目２３に記載の方法。
（項目３２）
前記細長いシャフトは、順応性部分を含み、前記カッターは、該順応性部分内で往復させられる、項目２３に記載の方法。
（項目３３）
前記切断デバイスは、医師の診察室で利用可能な真空によって動力供給される、項目２３に記載の方法。
（項目３４）
前記真空動力供給式切断デバイスは、約１２００ｒｐｍ未満の速度で往復運動する機構を備える、項目２３に記載の方法。
（項目３５）
前記カッターの速度は、２５０〜２５００サイクル／分の範囲に及ぶ、項目２３に記載の方法。
（項目３６）
前記真空動力供給式切断デバイスは、ピストンを備え、前記吸引は、交互方式で該ピストンの両側に印加されることにより、該ピストンを往復させ、該ピストンは、前記カッターを往復させる、項目２３に記載の方法。
（項目３７）
前記切断デバイスは、第１のピストンと、第２のピストンとを備え、該第１のピストンは、双安定スイッチによって該第２のピストンに連結され、該双安定スイッチは、該第１のピストンから第２のピストンまで運動を中継する、項目３６に記載の方法。
（項目３８）
電気焼灼器ワイヤを用いて出血を治療することをさらに含み、該電気焼灼器ワイヤは、前記細長いシャフトの遠位端に配置される、項目２３に記載の方法。
（項目３９）
前記細長いシャフトを介して抗凝固療法を組織部位に送達することをさらに含む、項目２３に記載の方法。
（項目４０）
前記切断デバイスは、完全に使い捨てである、項目２３に記載の方法。
（項目４１）
前記組織は、ポリープである、項目２３に記載の方法。
（項目４２）
前記組織は、椎間板内髄核である、項目２３に記載の方法。
（項目４３）
ポリープ切除を行うための方法であって、
該方法は、
被検体の中のポリープの隣に切断デバイスを前進させることと、
真空源によって生成された吸引を使用して、該切断デバイスに動力供給することであって、該動力供給することにより、該切断デバイスは、カッターを往復または回転させる往復運動を生じさせる、ことと、
該往復または回転するカッターを用いて該ポリープを切断することと
を含む、方法。
（項目４４）
前記真空源によって生成される前記吸引を使用して、前記切断されたポリープを排出することをさらに含む、項目４３に記載の方法。
（項目４５）
前記切断デバイスは、前記真空源によって生成された吸引によってのみ動力供給される、項目４３に記載の方法。
（項目４６）
椎間板切除を行うための方法であって、
該方法は、
被検体の脊椎の中の椎間板の中に切断デバイスを前進させることと、
真空源によって生成された吸引を使用して、該切断デバイスに動力供給することであって、該動力供することにより、該切断デバイスは、カッターを往復または回転させる往復運動を生じさせる、ことと、
該往復または回転するカッターを用いて該椎間板の髄核を切断することと
を含む、方法。
（項目４７）
前記真空源によって生成された前記吸引を使用して、切断された椎間板または髄核を排出することをさらに含む、項目４６に記載の方法。
（項目４８）
前記切断デバイスは、前記真空源によって生成された吸引によってのみ動力供給される、項目４６に記載の方法。
（項目４９）
被検体の中の組織を掻爬するための装置であって、
該装置は、
エンドエフェクタを備え、該エンドエフェクタは、該エンドエフェクタの遠位端に配置される掻爬縁と、該掻爬縁に対してある角度で配置される１つ以上の掻爬ウィングとを含み、その結果、該掻爬縁と該掻爬ウィングとが異なる方向の掻爬運動を提供するように使用され得る、装置。
患者の身体の種々の領域から組織を切断および／または排出するための種々の医療デバイスおよび方法が、本明細書において提供される。